(57)【要約】【課題】  降水等に起因する木造住宅の経時劣化を確実に抑える建築方法、および、その建築方法が実行されたことを示す証明方法を提供すること。【解決手段】  コンクリート基礎に土台を配した後、屋根を葺き終わるまでの間、降水時または当日の作業終了時に、外気に露出している木製建材（降雨を受ける可能性がある木製建材）を、すべて、遮水性のある樹脂シートによって被覆する（請求項１）。かかる建築方法によれば、建築中に外部露出する木製建材は、樹脂シートによって被覆され、水による影響を完全に回避することが出来る。また、樹脂シートによる日々の被覆作業が実行されたことを、建築の進捗状況を示す写真とともに被覆状態を示す写真によって証明する（請求項３、４）。施主／住宅購入希望者は、この証明書類を介して降雨から守られた木造住宅であることを容易に確認できる。【選択図】    図１
2019073862.tif 000002
【特許請求の範囲】
【請求項１】
コンクリート基礎に土台を配した後、
屋根を葺き終わるまでの間、
降水時および当日の作業終了時に、
外気に露出している木製建材を、すべて、遮水性のある樹脂シートによって被覆することを特徴とする木造住宅の建築方法。
【請求項２】
樹脂シートは、
ステープル針を介して、
木製建材に固定することを特徴とする請求項１記載の木造住宅の建築方法。
【請求項３】
作業終了時における当日の進捗状態を示す写真とともに、
遮水性のある樹脂シートによって木製建材を被覆した当日の写真を添付した作業日誌を作成することを特徴とする請求項１または請求項２に係る方法によって建築した木造住宅であることの証明方法。
【請求項４】
作業終了時における当日の作業進捗状況を示す静止画データおよび／または動画データと、
遮水性のある樹脂シートによってすべての木製建材を被覆する当日の作業動画データとを、
インターネット上のサーバ装置に格納し、
当該サーバ装置にログインできるＩＤまたは／およびパスワードを介して施主または住宅購入希望者が、
前記サーバ装置に格納した静止画データまたは／および動画データを随時閲覧可能とすることを特徴とする請求項１または請求項２に係る方法によって建築した木造住宅であることの証明方法。
【発明の詳細な説明】
【技術分野】
【０００１】
本発明は、木造住宅の建築方法に係り、特に、建築用の木製建材の変形を防止する技術に関する。
【背景技術】
【０００２】
木造住宅は、コンクリートで形成した基礎の上に土台用木材を配置し、この土台用木材の上に、外壁用の枠材／柱材等を設ける。一般に、木造住宅の躯体は、土台の上に柱を建てる軸組工法と、土台の上に枠材を設け当該枠材を介して耐力壁を固定する枠組壁工法とがある。
【０００３】
ところで、従来の木造住宅の建築においては、伝統的に、使用する木製建材（建築用木材）は、風雨に晒されても構わないとされており、基礎上の土台、土台上の外壁に使用する木製建材は、晴天／雨天を問わず外気に晒された状態で、建築が進行する。
【０００４】
木製建材は、古来から伝統的に、雨雪に強い木材が使用された。このため、木造住宅の専門業者のなかには、木材の耐水性／呼吸性等の性質を考慮して、木製建材は、建築中に雨に打たれた方が好ましいとする考えもある。
【０００５】
一方、土台用木材の腐敗を防止する技術として、下記特許文献１が公知となっている。これは、木粉と廃プラスチックが混合されたペレットを高圧で押出成形した土台用木材を使用して、経年劣化による腐敗やシロアリによる木材の空洞化を防止するものである。
【先行技術文献】
【特許文献】
【０００６】
【特許文献１】特開２００４−１９３３１
【発明の開示】
【発明が解決しようとする課題】
【０００７】
問題は、水に起因する木製建材の早期劣化である。
【０００８】
近年の木造住宅は、建築コストを低減させるため、接着材を用いた木製建材（集成材／構造用合板）が多用される。建築用の集成材／構造用合板に使用される接着剤は、一般に水（雨雪）に強いとされるが、どのような種類の接着材であっても、接着材層に水が浸入すると、やや時間をおいて徐々に剥離／膨張等の現象を起こす可能性が残る。
【０００９】
特許文献１のように、木粉と廃プラスチックが混合されたペレットを高圧で押出成形した土台用木材を使用した場合も、接着材を使用するので、水による劣化の早期化の虞れを否定できない。
【００１０】
接着材を用いた木製建材は、接着材層が水に晒されなければ、強い強度を長期にわたって保証することが出来る。しかし、接着材層が水に晒されたときの品質保証は難しい。
【００１１】
接着材層に水が浸入して、時間をかけて徐々に積層木材の変形が生じると、外壁の変形、床板の変形、屋根の変形等、各種の問題を惹起する。
【００１２】
建築中に雨が降らなければ、このような問題は生じない。また、接着材を用いた木製建材により建築コストを低減できる利点もあるため、接着材を用いた木製建材を否定することも困難であるのが実情である。
【００１３】
そこで、本発明の目的は、接着材を用いた木製建材を使用する木造住宅において、水による比較的早期の経時劣化を確実に抑えること、および、その建築方法が実行されたことを示す証明方法を提供することにある。
【課題を解決するための手段】
【００１４】
前記目的を達成するため、本発明に係る木造住宅は、コンクリート基礎に土台を配した後、屋根を葺き終わるまでの間、降水時または当日の作業終了時に、外気に露出している木製建材（降雨を受ける可能性がある木製建材）を、すべて、遮水性のある樹脂シートによって被覆する（請求項１）。
【００１５】
かかる建築方法によれば、建築中に外部露出する木製建材は、樹脂シートによって被覆され、水による影響を完全に回避することが出来る。作業中に雨／雪が降ってきたときは作業を終了するが、その場合も、遮水性のある樹脂シートによって被覆する。作業を再開するか否かは、天候に応じて判断する。再開不能の場合は、そのまま一日の作業を終了することもある。
【００１６】
樹脂シートは、ステープル針を介して、木製建材に固定する場合がある。
【００１７】
樹脂シートは、重り（ウェイト材）によって風による捲れあがり等を防止できるが、縦材を覆う樹脂シートの固定は、ステープル針を介してしっかりと固定することが出来る。
【００１８】
ステープル針は、建築用のステープル機材を介して樹脂シートと木製建材とを固定する。ステープル針は細いので、木製建材へのダメージはない。
【００１９】
請求項３は、請求項１または請求項２に係る方法によって建築した木造住宅であることの証明方法であり、作業終了時における当日の進捗状態を示す写真とともに、遮水性のある樹脂シートによって木製建材を被覆した当日の写真を添付した作業日誌を作成するものである。
【００２０】
請求項１または請求項２に係る方法によって建築した木造住宅は、建材が雨雪の影響を回避することによる利点をもつが、その一方で、その建築方法が誠実に実行されたか否かを証明する方法がなければ、信頼性を担保できない。
【００２１】
請求項３のように、作業終了時における当日の進捗状態を示す写真とともに、遮水性のある樹脂シートによって木製建材を被覆した当日の写真を作業日誌（作業日報とは別の書類として作成しても良い）に記録すれば、施主、住宅購入希望者等に、随時、住宅の建築課程を示すことが可能であり、信頼性を担保できる。
【００２２】
作業終了時における当日の作業進捗状況を示す静止画データおよび／または動画データと、遮水性のある樹脂シートによってすべての木製建材を被覆する当日の作業動画データとを、インターネット上のサーバ装置に格納し、当該サーバ装置にログインできるＩＤまたは／およびパスワードを介して施主または住宅購入希望者が、前記サーバ装置に格納した静止画データまたは／および動画データを随時閲覧可能とする場合がある（請求項４）。
【００２３】
かかる構成によれば、請求項３に係る作業日誌の記録とは別途、インターネットを介して、住宅の建築記録（日々の被覆記録）を速やかに閲覧することが出来る。施主、住宅購入希望者等は、静止画データまたは／および動画データを介して、木製建材が雨雪の影響から守られた状況を確認できるので、信頼性を高め、不動産価値の低下を防止できる。
【発明の効果】
【００２４】
本発明によれば、接着材を用いた木製建材を使用する木造住宅において、水による比較的早期に生ずる経時劣化を抑えることが出来る。
【００２５】
また、建築方法が誠実に実行されたことを示す証明方法により、木造住宅に対する信頼性を担保し、不動産価値の低下を防止できる。
【図面の簡単な説明】
【００２６】
【図１】実施形態に係る木造住宅の建築方法を示すブロック図である。
【図２】実施形態に係る木造住宅の土台の被覆例を示す斜視図である。
【図３】実施形態に係る木造住宅の土台の被覆例を示す断面図である。
【図４】実施形態に係る木造住宅の一階床の被覆例を示す断面図である。
【図５】実施形態に係る木造住宅の外壁構造を示す図である。
【図６】図５に係る外壁構造を被覆した状態を例示する図である。
【図７】実施形態に係る木造住宅の二階床建築中の被覆例を示す図である。
【図８】本発明に係る証明方法の実施形態を例示するブロック図である。
【発明を実施するための形態】
【００２７】
本発明に係る木造住宅の建築方法は、コンクリート基礎に土台を配した後、屋根を葺き終わるまでの間、降水時および当日の作業終了時に、外気に露出している木製建材を、すべて、遮水性のある樹脂シートによって被覆するものである。屋根の仕上げが完了するまで、遮水性のある樹脂シートにより各種の木製建材を雨雪の影響を受けないようにする。以下、具体的に説明する。
【００２８】
図１は、本発明に係る木造住宅の建築方法の一実施形態を示すものである。
【００２９】
この実施形態に係る木造住宅は、例えば、コンクリートを用いて住宅基礎を形成（Ｓ１）し、当該基礎の上に土台（木製建材）を設置する（Ｓ２）。
【００３０】
土台の設置（Ｓ２）が終了した段階で当日の作業を終了するとき、或いは、作業中に雨が降ってきたときは、土台に遮水性のある樹脂シートを被せ（Ｓ２−１）、雨雪の影響から土台を守る。
【００３１】
図２、図３は、コンクリートによって形成した基礎１の上に土台２を配し、遮水性のある樹脂シート１０によって被覆する状態を例示するものである。基礎１は、ベタ基礎、布基礎のいずれであってもよい。図２、図３は、ベタ基礎を例示した。３は、コンクリートによって形成した床版(しょうばん)である。
【００３２】
樹脂シート１０は、基礎全体を覆うことのできる、出来るだけ大きな寸法のものを使用することが望ましい。被覆作業が簡単になるからである。
【００３３】
基礎１は、住宅の外周部のほか、根太（図示せず）を配する立上部を備えるので、外周以外の立上部に配した木製建材（根太等）も、樹脂シート１０によって被覆し（Ｓ２−１）、雨雪の影響を避ける。
【００３４】
樹脂シート１０は、例えば、ポリエチレンなどの合成樹脂製のシート（所謂ブルーシート）を用いることが出来る。安価で、耐久性に優れるからである。
【００３５】
木製建材の被覆後、風による樹脂シート１０の動きを抑えるため、例えば、重り（重石；ウェイト）１１を用いて動きを拘束する。また、ステープル針（図示せず）を介して木製建材（土台２等）に直接固定しても良い。ステープル針は、建築用のステープル装置（所謂ホチキス；登録商標）を用いることが出来る。これらは、以後の建築段階における樹脂シート１０の被覆でも同じである。
【００３６】
図１に戻り、土台（２）の設置後、一階の床形成（Ｓ３）を行う。
【００３７】
この作業段階（Ｓ３）でも、当日の作業を終了するとき、或いは、作業中に雨が降ってきたときは、露出している木製建材（土台、床下地材、床材、間仕切壁下地材等）のすべてに、遮水性のある樹脂シートを被せ（Ｓ３−１）、雨雪の影響から木製建材を守る。
【００３８】
図４は、一階の床板２０の上に樹脂シート１０を被覆させた状態を例示するものである。風による樹脂シート１０の動きを拘束するため、例えば、重り（重石；ウェイト）１１を用いて動きを拘束する。また、ステープル針１２を介して木製建材（床板２０等）に直接固定しても良い。床板２０を支持する木製建材（大引き、根太等）は図示を省略した。
【００３９】
樹脂シート１０は、一階の床板２０または建築中の下地構造の全体を被覆するよう配置する。外部に露出する木製建材を、雨雪から遮断するためである。
【００４０】
図１に戻り、一階の床形成（Ｓ３）後、一階の外壁構造を形成する（Ｓ４）。木造住宅の躯体構造は、大別して軸組構造と枠組壁構造とがあるが、本発明を適用する木造住宅は、いずれの構造でも良い。木製建材を使用し、それを雨雪から保護する点では同じだからである。
【００４１】
そして、一階の外壁構造を形成（Ｓ４）する段階でも、当日の作業を終了するとき、或いは、作業中に雨が降ってきたときは、露出している木製建材のすべてに、遮水性のある樹脂シートを被せ（Ｓ４−１）、雨雪の影響から木製建材を守る。
【００４２】
図５は、土台２の上に、外壁構造、例えば、枠組壁構造の枠材２５を配した状態を例示するものである。枠材２５は、例えば、土台２の上に配した端根太２−１の上に配する。枠材２５は、例えば、下横材２５−１、縦材２５−２、上横材２５−３から構成し、頭つなぎ２５−４を介して、上階の端根太２５−５と、前記端根太２−１との間に配置する。
【００４３】
図６は、外壁構造である枠材２５に樹脂シート１０を被覆させた状態を例示するものである。風雨に晒される可能性がある木製建材のすべてを雨雪の影響から遮断するため、樹脂シート１０を介して住宅の一階部分をすべて被覆する。一階の床および一階天井（二階床下）は、図示を省略してある。図示していない部分も、建築中に雨が降ってきたとき、または一日の作業終了時に、樹脂シート１０を介して木製建材をすべて被覆する。例えば、重り（１１）またはステープル針（１２）を介して樹脂シート１０を固定する。
【００４４】
図１に戻り、二階の床形成（Ｓ５）、二階の外壁構造を形成する（Ｓ６）が、これらの各作業段階でも、当日の作業を終了するとき、或いは、作業中に雨が降ってきたときは、露出している木製建材のすべてに、遮水性のある樹脂シート１０を被せ（Ｓ５−１、Ｓ６−１）、雨雪の影響から木製建材を守る。
【００４５】
図７は、二階の外壁構造の形成（Ｓ６）段階における、樹脂シート１０の被覆の一例を示すものである。この段階では、例えば、上階の端根太２５−５の上に枠組壁構造の枠材３５を配し、枠材３５の上端部を梁３６によって固定するが、この状態では、屋根がない。従って、雨が降ると、露出している木製建材はすべて水に濡れる。建築中の建物全体を樹脂シート１０を介して被覆し（Ｓ５−１、Ｓ６−１）することにより、木製建材は雨の影響を避けることが出来る。
【００４６】
図６、図７に示すように、建築中の建物の全体を樹脂シート１０によって被覆しているとき、作業開始時には、作業員の出入りに支障がある箇所だけ樹脂シート１０を取り外し、ひとの出入りや作業に支障がない部分の樹脂シート１０は、必ずしも取り外す必要はない。樹脂シート１０の被覆／取り外し作業を簡単にするためである。
【００４７】
図１に戻り、二階の外壁構造の形成（Ｓ６）に前後して二階の床を形成し、小屋裏を形成（Ｓ７）した後、屋根下地を形成する（Ｓ８）。これらの各作業段階においても、建築中に雨が降ってきたとき、または一日の作業終了時に、樹脂シート１０を介して木製建材をすべて被覆する（Ｓ７−１、Ｓ８−１）。作業再開時は、作業員の出入りや作業に支障がある箇所の樹脂シート１０を取り外す。完全に取り外さなくても、作業員が出入りできる状態となるよう、固定用のステープル針を取り外すだけでも良い。
【００４８】
この後、内装仕上げ、外壁の化粧仕上げ（Ｓ９）、屋根葺き（屋根仕上げ；Ｓ１０）を行う。
【００４９】
この作業段階においても、屋根仕上げ（Ｓ１０）と外壁の化粧仕上げ（Ｓ９）とが終わるまでは、雨が降ると、露出している木製建材は水に濡れる。このため、外壁化粧（Ｓ９）、屋根葺き（Ｓ１０）の作業時にも、それら作業が完全に終了するまでは、樹脂シート１０を介して木製建材をすべて被覆する（Ｓ９−１）。
【００５０】
外壁化粧（Ｓ９）および屋根葺き（Ｓ１０）が完了した後は、内装の仕上げ、配管、電気系統の仕上げを行い、本発明に係る木造住宅が完成する（Ｓ１１）。
【００５１】
本発明に係る木造住宅は、躯体構造の種類を問わない。軸組構造、枠組壁構造、その他の在来工法いずれであっても良い。また、屋根の種類も限定されない。切妻屋根や入母屋等の各種の傾斜屋根、或いは、いわゆる無落雪住宅屋根のような各種の陸屋根形式の屋根であっても良い。
【００５２】
本発明に係る木造住宅は、基礎の上に木製建材である土台を設置（Ｓ２）した後、外壁化粧（Ｓ９）および屋根葺き（Ｓ１０）が完了するまでの間、降雨を受ける状態で露出している木製建材を樹脂シート１０を介して被覆するので、木製建材は完成まで雨の影響を受けることなく守られる。
【００５３】
この結果、本発明に係る木造住宅は、水（雨／雪等）に起因する早期の経時劣化を確実に抑えることが出来る。
【００５４】
このような作業工程は、それが遵守されたか否かを客観的に証明することが望ましい。雨に起因する木製建材の劣化は、施主または住宅購入希望者にとっては、大きな関心事となるからである。
【００５５】
第一の証明方法としては、日々の作業工程を記録した作業日誌を作成することである。この作業日誌の内容は、いわゆる作業日報に含めて作成しても良いし、作業日報とは別の書類として作成しても良い。
【００５６】
作業日誌は、少なくとも、作業終了時における当日の作業の進捗状態を示す写真とともに、遮水性のある樹脂シートによって木製建材を被覆した当日の写真を記録する。木製建材を被覆した当日の写真は、建物の外周四面から撮影することが望ましい。完全に被覆されていることを証明するためである。同じ理由で、天蓋部分の覆いを証明する写真も添付することが望ましい。天蓋部分の覆いは、建築中の建物の内側から撮影したものであっても良い。
【００５７】
作業日誌には、当日に雨が降ったか否か、降雨があった場合は降雨の時間帯等、作業当日の降雨状況を文字／数字によって記録する。また、遮水性のある樹脂シートによって木製建材を被覆した時間も文字／数字によって記録する。
【００５８】
かかる証明方法によれば、基礎の上に土台（２）を設置した後、外壁化粧および屋根葺きが完了するまでの間、木製建材を樹脂シート（１０）を介して間断なく被覆したことを客観的に証明することが出来る。
【００５９】
作業日誌には、当日の天候、進捗状況、木製建材の被覆作業等を動画撮影し、当該動画データを外部記録媒体（各種のメモリ媒体）に保存して、これを添付書類としても良い。コンパクトな大容量メモリ媒体を用いることが望ましい。
【００６０】
動画データは、短い撮影時間で、天候、作業進捗、作業終了時の状況、被覆作業を多角的な角度から表現できる利点がある。写真と異なり音声記録も出来るので、日付証明も容易である。
【００６１】
作業日誌の記録データは、インターネットを介して、施主または住宅購入希望者が閲覧できる環境に配置することが出来る。
【００６２】
これは、例えば、作業終了時における当日の作業進捗状況を示す静止画データおよび／または動画データと、遮水性のある樹脂シートによってすべての木製建材を被覆する当日の作業動画データとを、インターネット上のサーバ装置に格納し、当該サーバ装置にログインできるＩＤまたは／およびパスワードを介して施主または住宅購入希望者が、前記サーバ装置に格納した静止画データまたは／および動画データを随時閲覧可能とするものである。
【００６３】
具体的には、図８に示すように、インターネットＮを介して接続できるサーバ装置５０を設け、このサーバ装置５０を介して、施主／住宅購入希望者が作業過程を確認できるようにする。
【００６４】
４０、４１は、インターネットＮに回線接続できる施主／住宅購入希望者の通信装置（例えばＰＣ装置、モバイル通信装置）である。
【００６５】
５１は、通信装置４０、４１を介して送られるアクセス要求に対して、閲覧許可を行う閲覧許可部である。
【００６６】
通信装置４０、４１を介して送られるアクセス要求は、サーバ装置５０にログインできるＩＤまたは／およびパスワードに基づく。適正なＩＤまたは／およびパスワードに基づくアクセス要求でない場合は、閲覧許可部５１は通信アクセスを拒否する場合がある。サーバ装置５０の安全を担保するためである。
【００６７】
５２は、データ格納部である。このデータ格納部５２には、例えば、進捗状況写真格納部５２−１、進捗状況動画格納部５２−２、被覆状態写真格納部５２−３、被覆状態動画格納部５２−４、テキスト報告部５２−５を設ける。
【００６８】
具体的には、例えば、進捗状況写真格納部５２−１には、当日の作業終了時における建築中の住宅を撮影した写真データを格納する。進捗状況動画格納部５２−２には、当日の作業終了時における建築中の住宅を撮影した動画データを格納する。被覆状態写真格納部５２−３には、当日の作業終了時における木製建材の被覆状態を撮影した写真データを格納し、被覆状態動画格納部５２−４には、当日の作業終了時における木製建材の被覆状態を撮影した動画データを格納する。テキスト報告部５２−５には、天候を含めた当日の進捗状況等をテキストデータとして格納する。降雨があったときは、時刻、降雨状況（霧雨／小雨等）、降雨時における木製建材の被覆状態を、テキストデータとして記録することが望ましい。
【００６９】
データ格納部５２に蓄積したデータは、閲覧許可部５１を介して、アクセス制限を行う。閲覧許可部５１は、サーバ装置５０にログインできるＩＤまたは／およびパスワードに基づくアクセス要求があったときにのみ、データ送出部５５を介して通信装置４０、４１に対しデータ格納部５２のデータを開示提供する。
【００７０】
ＩＤまたは／およびパスワードは、例えば、木造住宅の建築事業者／販売事業者等を介して、施主／住宅購入希望者に開示する。
【００７１】
かかる証明方法によれば、施主／住宅購入希望者は、データ格納部５２に保存されている日々の建築状況を、随時、容易に確認できる。
【００７２】
樹脂シート１０による木製建材の被覆は、時間がかかる。このため、作業終了時の被覆作業を怠る可能性は少なくない。しかしながら、かかる証明方法に基づく建築作業であれば、被覆作業を怠る等の手抜きは出来ない。
【００７３】
その結果、かかる証明方法を用いれば、雨雪の影響から建築中の木製建材を確実に守ることが出来る。土台の配置から屋根の仕上げに至るまで、木製建材が水（雨雪／氷雪）の影響を受けずに完成される可能性を高め、建築手順に手抜きがなかったことを客観的に証明できるからである。
【符号の説明】
【００７４】
１  基礎
２  土台
２−１、２５−５  端根太
３  床版
１０  樹脂シート
１１  重り（重石／ウェイト）
１２  ステープル針
２０  一階の床板
２５  枠材（外壁構造材）
２５−１  下横材
２５−２  縦材
２５−３  上横材
２５−４  頭つなぎ
４０、４１  （施主／住宅購入希望者の）通信装置
５０  サーバ装置
５１  閲覧許可部
５２  データ格納部
５２−１  進捗状況写真格納部
５２−２  進捗状況動画格納部
５２−３  被覆状態写真格納部
５２−４  被覆状態動画格納部
５２−５  テキスト報告部
Ｎ  インターネット
Ｓ１  基礎の形成
Ｓ２  土台（木製建材）の設置
Ｓ２−１〜Ｓ９−１  樹脂シートの被覆／取り外し
Ｓ３  一階の床形成
Ｓ４  一階の外壁構造の形成
Ｓ５  二階の床形成
Ｓ６  二階の外壁構造の形成
Ｓ７  小屋裏の形成
Ｓ８  屋根下地の形成
Ｓ９  外壁化粧
Ｓ１０  屋根葺き（屋根仕上げ材の配設）
Ｓ１１  木造住宅の完成
【図１】
2019073862.tif 000003
【図２】
2019073862.tif 000004
【図３】
2019073862.tif 000005
【図４】
2019073862.tif 000006
【図５】
2019073862.tif 000007
【図６】
2019073862.tif 000008
【図７】
2019073862.tif 000009
【図８】
2019073862.tif 000010